(57)【要約】  送風機及び室外機は、モータシャフトを有するモータと、モータシャフトに軸方向へ摺動するように取り付けられ、モータの動力により回転して気流を発生させる第１ファンと、第１ファンの回転により発生する気流の上流側に配置され、モータシャフトに回転自在に取り付けられた第２ファンと、第１ファンを気流の下流側へ付勢する弾性体と、第１ファンに設けられた第１連結部と、第２ファンに設けられた第２連結部とを有し、第１ファンが第２ファン側へ摺動したとき、第１連結部と第２連結部とが連結するファン連結部とを備えている。
2019159282.tif 000002
【特許請求の範囲】
【請求項１】
モータシャフトを有するモータと、
前記モータシャフトに軸方向へ摺動するように取り付けられ、前記モータの動力により回転して気流を発生させる第１ファンと、
前記第１ファンの回転により発生する気流の上流側に配置され、前記モータシャフトに回転自在に取り付けられた第２ファンと、
前記第１ファンを前記気流の下流側へ付勢する弾性体と、
前記第１ファンに設けられた第１連結部と、前記第２ファンに設けられた第２連結部とを有し、前記第１ファンが前記第２ファン側へ摺動したとき、前記第１連結部と前記第２連結部とが連結するファン連結部と
を備えた送風機。
【請求項２】
前記第１連結部は、前記第２ファン側へ突出した形状を有し、
前記第２連結部は、前記第１連結部が挿入される凹状に形成されている
請求項１に記載の送風機。
【請求項３】
前記第１連結部は、先細り形状を有する
請求項２に記載の送風機。
【請求項４】
前記第２連結部は、内部より縁部の開口径が大きい
請求項２又は３に記載の送風機。
【請求項５】
前記第２連結部は、回転方向に延びる形状を有する
請求項２〜４のいずれか１項に記載の送風機。
【請求項６】
前記第１ファンは、第１ボス部と、前記第１ボス部の外周に設けられた複数の羽根部とを有し、
前記第２ファンは、第２ボス部と、前記第２ボス部の外周に設けられた複数の羽根部とを有し、
前記第１連結部は、前記第１ボス部に回転方向に沿って交互に設けられた第１凹部と第１凸部とを有し、
前記第２連結部は、前記第２ボス部に回転方向に沿って交互に設けられた第２凹部と第２凸部とを有し、
前記第１連結部と前記第２連結部とは、前記第１ファンが前記第２ファン側へ摺動したときに、前記第１凸部と前記第２凹部とが噛み合い、前記第１凹部と前記第２凸部とが噛み合うことにより連結する
請求項１に記載の送風機。
【請求項７】
前記第２連結部は、回転方向の上流から下流へ向かって深さが深くなる
請求項２〜５のいずれか１項に記載の送風機。
【請求項８】
前記第１ファンの径は、前記第２ファンの径よりも小さい
請求項１〜７のいずれか１項に記載の送風機。
【請求項９】
冷媒を圧縮する圧縮機と、
空気と冷媒とを熱交換させる熱交換器と、
前記熱交換器に空気を供給する請求項１〜８のいずれか１項に記載の送風機と、
を備える室外機。
【発明の詳細な説明】
【技術分野】
【０００１】
本発明は、複数のファンを備えた送風機及び室外機に関する。
【背景技術】
【０００２】
従来、送風機は、例えば空気調和装置の室外機に搭載され、室外熱交換器に外気を供給するのに利用される。ファンの回転数は、必要とされる風量が供給されるように調整される。回転数による風量の制御の他に、１つのモータに２つのファンを設け、ファン１台の駆動と、ファン２台の同時駆動とを切り替える送風機が知られている（例えば、特許文献１参照）。特許文献１の送風機において、感熱クラッチにより、２つのファンが連結され、ファン１台の駆動とファン２台の同時駆動とが切り替えられる。
【先行技術文献】
【特許文献】
【０００３】
【特許文献１】実開昭５８−４２３９４号公報
【発明の概要】
【発明が解決しようとする課題】
【０００４】
しかしながら、特許文献１の送風機において、感熱クラッチは周辺温度に応じて動作するため、回転するファンの数の切り替えが周囲温度に依存し、切り替えのタイミングを制御できない場合がある。【０００５】
本発明は、上記のような課題を解決するためになされたもので、周囲温度に依存せず、回転するファンの数の切り替えを制御することができる送風機及び室外機を提供することを目的とする。
【課題を解決するための手段】
【０００６】
本発明に係る送風機は、モータシャフトを有するモータと、前記モータシャフトに軸方向へ摺動するように取り付けられ、前記モータの動力により回転して気流を発生させる第１ファンと、前記第１ファンの回転により発生する気流の上流側に配置され、前記モータシャフトに回転自在に取り付けられた第２ファンと、前記第１ファンを前記気流の下流側へ付勢する弾性体と、前記第１ファンに設けられた第１連結部と、前記第２ファンに設けられた第２連結部とを有し、前記第１ファンが前記第２ファン側へ摺動したとき、前記第１連結部と前記第２連結部とが連結するファン連結部とを備えている。
【発明の効果】
【０００７】
本発明の送風機及び室外機によれば、第２ファンは気流の上流側に配置され、弾性体は第１ファンを気流の下流側へ付勢するので、モータの回転数が大きくなると、第１ファンの上流側に形成される負圧が弾性体の弾性力よりも大きくなる。そのため、第１ファンが第２ファン側へ摺動し、第１連結部と第２連結部とが連結する。負圧の大きさはモータの回転数に応じて決まるため、モータ回転数に応じて２つのファンの連結及び連結解除が行われ、周囲温度に依存せず、回転するファンの数の切り替えを制御することができる。
【図面の簡単な説明】
【０００８】
【図１】本発明の実施の形態１に係る室外機の構成である。
【図２】本発明の実施の形態１に係る送風機の熱交換器に取り付けられた状態を示す斜視図である。
【図３】本発明の実施の形態１に係る送風機の断面図である。
【図４】図３の送風機の第１ファンと第２ファンとの連結状態を示す断面図である。
【図５】本発明の実施の形態２に係る送風機の断面図である。
【図６】本発明の実施の形態３に係る送風機の断面図である。
【図７】本発明の実施の形態４に係る第２ボス部周辺の構成を示す正面図である。
【図８】図７のＢ−Ｂ断面を示す断面図である。
【図９】本発明の実施の形態５に係る送風機の熱交換器に取り付けられた状態を示す斜視図である。
【図１０】本発明の実施の形態５に係る第２ボス部周辺の構成の一例を示す正面図である。
【発明を実施するための形態】
【０００９】
実施の形態１．
図１は、本発明の実施の形態１に係る室外機の構成である。室外機１００は、例えば空気調和装置の室外機であり、接続配管により室内機に接続されて冷凍サイクル装置を形成する。図１の矢印Ｘ方向は室外機１００の幅方向を表し、矢印Ｙ方向は室外機１００の奥行き方向を表し、矢印Ｚ方向は室外機１００の高さ方向を表している。
【００１０】
室外機１００は、筐体１００ａに、圧縮機１と、熱交換器２とを収容した構造を有する。また室外機１００は、制御装置３と、熱交換器２に送風する送風機２００ａとを有する。制御装置３は、圧縮機１の回転数及び送風機２００ａの回転数を制御する。
【００１１】
図２は、本発明の実施の形態１に係る送風機２００ａの熱交換器２に取り付けられた状態を示す斜視図である。取付部材４は筐体１００ａに固定されており、取付部材４を介して、熱交換器２に２つの送風機２００ａが上下方向（矢印Ｚ方向）に並んで取り付けられている。取付部材４は、例えば上下方向（矢印Ｚ方向）に延びる２本のレール状の部材から成り、ネジ等の固定部材により固定された送風機２００ａを支持する。
【００１２】
図３は、本発明の実施の形態１に係る送風機２００ａの断面図である。図２及び図３に基づき、送風機２００ａの構成について説明する。なお、２つの送風機２００ａは同一の構造を有している。送風機２００ａは、第１ファン１０と、第２ファン２０と、モータ３０と、弾性体３５とを備える。モータ３０は、取付部材４に固定されたモータ本体３１と、モータ本体３１により回転されるモータシャフト３２とを有している。モータシャフト３２には、円柱状に形成された領域と、円柱状の領域から前方部に設けられた摺動領域３２ｂａが形成されている。摺動領域３２ａは、例えば、Ｄカットにより外周面の一部が切り欠かれた形状を有する。
【００１３】
第１ファン１０は、モータシャフト３２に取り付けられ、モータ３０の動力が伝達されることで回転する。第１ファン１０は、筒状の第１ボス部１１と、第１ボス部１１の外周から半径方向の外側に配置された複数の第１羽根部１２とを有する。第１ボス部１１には、モータシャフト３２に形成された摺動領域３２ａの断面形状と同形状の第１軸孔１１ａが形成され、第１軸孔１１ａにモータシャフト３２の摺動領域３２ａが挿入される。
【００１４】
モータシャフト３２の前方の端部には、ナット３３が締結されている。ナット３３は、第１ファン１０がモータシャフト３２から脱落するのを防止する。モータ３０が駆動するとき、モータシャフト３２が回転軸Ａを軸として回転し、モータシャフト３２に取り付けられた第１ファン１０が回転する。第１ファン１０が回転すると、後方から前方へ（矢印Ｄ方向へ）気流が生じる。
【００１５】
第２ファン２０は、第１ファン１０の回転により発生する気流の上流側に配置され、軸受３６を介してモータシャフト３２に回転自在に取り付けられている。第２ファン２０は、筒状の第２ボス部２１と、第２ボス部２１の外周から半径方向の外側に配置された複数の第２羽根部２２とを有する。第２ボス部２１には、断面円形状の第２軸孔２１ａが形成されており、第２軸孔２１ａに、軸受３６の外輪が固定されている。軸受３６の内輪は、第２軸孔２１ａに固定されている。すなわち、第２ファン２０は、モータシャフト３２が回転しても軸受３６により、モータシャフト３２と同期して回転しない。モータシャフト３２が回転軸Ａを軸として回転できるように支持している。第１ファン１０及び第２ファン２０の２台が駆動しているとき、第１ファン１０が１台で運転しているときに比べ、大風量の気流が生じる。
【００１６】
第２ファン２０の後方側には、移動規制部３４がモータシャフト３２に固定されている。移動規制部３４は、例えば、第２軸孔２１ａよりも外径が大きく、中央にモータシャフト３２が通されたリング状に形成されている。移動規制部３４は、第２ファン２０の後方側への移動を規制する。なお、移動規制部３４を設けず、第２ボス部２１の第２軸孔２１ａにモータシャフト３２が圧入されていてもよい。
【００１７】
弾性体３５は、弾性体３５は、第１ファン１０と第２ファン２０との間に配置され、第１ファンを気流の下流側へ付勢する。弾性体３５は、例えば圧縮スプリング等の螺旋状のバネで形成されており、モータシャフト３２に巻き付けられている。弾性体３５の後方端は第２ボス部２１に接続され、弾性体３５の前方端は第１ボス部１１を下流側へ付勢する。このように、第１ボス部１１は、ナット３３と弾性体３５との間に配置され、前方位置がナット３３により規定され、モータシャフト３２の摺動領域３２ａを移動する。第２ボス部２１は、弾性体３５と移動規制部３４との間に配置され、後方位置が移動規制部３４により固定されている。
【００１８】
また送風機２００ａは、第１ファン１０と第２ファン２０とを連結するファン連結部４０を有する。ファン連結部４０は、第１ボス部１１に設けられた第１連結部４１と、第２ボス部２１に設けられた第２連結部４２とを有している。第２連結部４２は、第１連結部４１と対向するように径方向における同一の位置に設けられている。第１ファン１０が第２ファン２０側へ軸方向（矢印Ｙ方向）に摺動したとき、第１連結部４１と第２連結部５２とが連結する。これにより、モータ３０によって回転する第１ファン１０の動力が、第２ファン２０へ伝達される。
【００１９】
図４は、図３の送風機２００ａの第１ファン１０と第２ファン２０との連結状態を示す断面図である。例えば、第１連結部４１は、第２ファン２０側へ突出した形状を有し、第２連結部４２は、第１連結部４１が挿入される凹状に形成されている。具体的には、第１連結部４１は円柱形状を有しており、第２連結部は円筒状に形成されている。第１ファン１０の回転により第１連結部４１が第２連結部４２へ摺動した場合に、第１連結部４１が第２連結部４２に嵌まることにより、第１ファン１０と第２ファン２０とが連結される。
【００２０】
なお、第１連結部４１の形状及び第２ファン２０の形状は、円柱形状及び円筒状に限定されず、嵌合する形状であればどのような形状であってもよい。例えば、第１ファン１０に設けられた第１連結部が凹形状を有し、第２ファン２０に設けられた第２連結部が突形状を有するものあってもよい。
【００２１】
次に、図３及び図４に基づき、弾性体３５及び第１ボス部１１にそれぞれ作用する力について説明する。モータ３０の駆動により第１ファン１０が回転すると、矢印Ｄ方向に気流が生じることにより、第１羽根部１２の気流上流側に生じた負圧Ｆ２が、第１ファン１０全体にかかる。一方、弾性体３５から弾性力Ｆ１がかかる。第１ファン１０は、負圧Ｆ２が弾性体３５の弾性力Ｆ１より大きくなると、第２ファン２０側へ移動する。負圧Ｆ２の大きさは、第１ファン１０の回転数によって決まり、弾性力Ｆ１の大きさは、弾性体３５の特性によって決まる。つまり、モータ３０の回転数が大きくなり、第１ファン１０の回転数が大きくなるほど、負圧Ｆ２は大きくなる。
【００２２】
一方、第１ボス部１１は、弾性体３５から、ナット３３側へ向く弾性力Ｆ１を受ける。負圧Ｆ２が大きいほど弾性体３５は多く縮み、第１ボス部１１が受ける弾性力Ｆ１の大きさも、弾性体３５の縮んだ長さに比例して大きくなる。弾性体３５の後方端は第２ボス部２１により位置が固定されているため、第１ファン１０の回転数に応じて負圧Ｆの大きさが変化すると、弾性体３５の縮む長さが変わり、弾性体３５の前方端の位置も、軸方向（矢印Ｙ方向）に沿って変位する。したがって、第１ファン１０の回転数が大きくなるほど、第１ファン１０が第２ファン２０へ近づく。
【００２３】
そして、第１ファン１０は、第１連結部４１の先端と第２連結部４２の開口との長さ分だけ軸方向に移動すると、第２ファン２０に連結する。よって、弾性体３５の長さ及び第１連結部４１の長さによって風量の調整が可能である。
【００２４】
次に、図１〜図４に基づき、送風機２００ａの動作について説明する。以下、第１ファン１０と第２ファン２０とが連結するときの第１ファン１０の回転数が連結回転数Ｆａであるものと定義して説明する。
【００２５】
モータ３０が停止しているとき、第１ファン１０は停止しており、第１ファン１０から弾性体３５へ、負圧Ｆ２も生じていない。このため、図３に示されるように第１ファン１０と第２ファン２０とは離間しており、第２ファン２０も停止している。
【００２６】
モータ３０が低速で駆動し、連結回転数Ｆａよりも小さい回転数で第１ファン１０が回転しているとき、第１ボス部１１がモータシャフト３２に沿って気流上流側へ摺動し、第２ボス部２１へ近づく。そして、負圧Ｆ２と弾性力Ｆ１とが釣り合う位置で、第１ボス部１１の摺動が止まる。このとき、第１ファン１０と第２ファン２０とは離間している。そのため、第２ファン２０は停止しており、送風機２００ａは、小風量で熱交換器２に外気を供給する。
【００２７】
第１ファン１０の回転数が連結回転数Ｆａになると、第１ファン１０は第２ファン２０側へ移動し、第１連結部４１と第２連結部４２とが嵌合して、第１ファン１０と第２ファン２０とが連結する。このとき、ファン連結部４０を介して第１ファン１０の回転の動力が第２ファン２０へ伝達され、モータ３０の動力により、第１ファン１０と第２ファン２０とが回転する。
【００２８】
連結後、第１ファン１０の回転数がさらに大きくなると、負圧Ｆ２が弾性力Ｆ１を超過する。このとき、負圧Ｆ２が弾性力Ｆ１との差により、第１ボス部１１は第２ボス部２１側へ移動しようとするため、第１ファン１０と第２ファン２０とは連結状態が維持される。第１ファン１０と第２ファン２０とが連結されているとき、送風機２００ａは、大風量で熱交換器２に外気を供給する。
【００２９】
一方、連結後、モータ３０の回転数が低下し、第１ファン１０の回転数が連結回転数Ｆａ未満になると、負圧Ｆ２が低下するため、第１ファン１０は弾性体３５によってナット３３側へ押し戻される。これにより、第１ファン１０と第２ファン２０との連結が解除され、第２ファン２０は停止する。
【００３０】
このように、送風機２００ａにおいて、第１ファン１０によるファン１台の運転と、第１ファン１０及び第２ファン２０によるファン２台の運転との切り替えが、第１ファン１０の回転数に応じて制御される。したがって、送風機２００ａは、制御装置３により制御されるモータ３０の回転数に応じて、小風量から大風量の広範囲の風量を出力することができる。ここで、弾性体３５の長さ及びバネ定数は、第１ファン１０の回転数が所望の回転数となったときに運転が切り替わるよう、予め設定されているとよい。
【００３１】
なお、第１連結部４１と第２連結部４２とは、嵌合するものでなくてもよい。例えば、第１連結部４１及び第２連結部４２は、第１ファン１０及び第２ファン２０にそれぞれ貼付されたゴム等であってもよい。この場合、第１ファン１０の回転数が上昇して連結回転数Ｆａに近づくと、離れていた第１連結部４１と第２連結部４２とが接触する。そして、第１ファン１０の回転数が連結回転数Ｆａになると、第１連結部４１の表面と第２連結部４２の表面との間に作用する摩擦力が大きくなり、第１ファン１０と第２ファン２０とが一体となって回転する。
【００３２】
以上のように、実施の形態１の送風機２００ａは、第１ファン１０の回転により発生する気流の上流側に配置された第２ファン２０と、第１ファン１０を気流の下流側へ付勢する弾性体３５を備える。これにより、モータ３０の回転数が大きくなると、第１ファン１０の上流側に形成される負圧Ｆ２が弾性体３５の弾性力Ｆ１よりも大きくなり、第１ファン１０が第２ファン２０側へ摺動する。そして、ファン連結部４０により第１ファン１０の動力が第２ファン２０へ伝達される。ここで、負圧Ｆ２の大きさはモータの回転数に応じて決まる。したがって、モータ３０の回転数に応じて第１ファン１０と第２ファン２０との連結及び連結解除が行われるので、送風機２００ａは、周辺温度に依存せず、回転するファンの数の切り替えを制御することができる。
【００３３】
また第１連結部４１は、第２ファン２０側へ突出した形状を有し、第２連結部４２は、第１連結部４１が挿入される凹状に形成されている。これにより、第１ファン１０が回転し、第２ファン２０側へ摺動すると、第２連結部４２に第１連結部４１が挿入され、第１ファン１０と第２ファン２０とが連結する。このように、単純な構造で、ファン１台の運転とファン２台の同時運転とを確実に切り替えることができる。
【００３４】
実施の形態２．
図５は、本発明の実施の形態２に係る送風機の断面図である。実施の形態２において、第１連結部１４１の形状が、実施の形態１の場合とは異なる。以下、実施の形態２において、実施の形態１の場合と同一の構成については同一符号を付して説明を省略する。
【００３５】
第１連結部１４１は、先細り形状を有し、第１ボス部１１から第２ボス部２１へ延びている。具体的には、第１連結部１４１は円柱形状を有しており、先端の外周に、テーパ部１４１ａが形成されている。モータ３０が駆動し、第１ファン１０の回転数が連結回転数Ｆａになると、テーパ部１４１ａによって第１連結部１４１が第２連結部４２内へ誘導される。
【００３６】
以上のように、実施の形態２では、第１連結部１４１は先細り形状を有している。これにより、テーパ部１４１ａがガイドとして機能し、実施の形態１の場合よりも滑らかに第１ファン１０と第２ファン２０とを連結することができる。
【００３７】
実施の形態３．
図６は、本発明の実施の形態３に係る送風機２００ａの断面図である。実施の形態３において、第１連結部１４１の形状が、実施の形態２の場合とは異なる。以下、実施の形態３において、実施の形態２の場合と同一の構成については同一符号を付して説明を省略する。
【００３８】
第２連結部１４２は、第２ボス部２１の第１ボス部１１と対向する面に設けられ、第１連結部１４１を収容する。第２連結部１４２は、例えば形円筒状に凹んだ形状を有している。第２連結部１４２の縁部１４２ａの開口径は、テーパ又は面取りにより、内部よりも大きく形成されている。モータ３０が駆動し、第１ファン１０の回転数が連結回転数Ｆａになると、第１連結部１４１のテーパ部１４１ａと第２連結部１４２の縁部１４２ａとにより、第１連結部１４１が第２連結部１４２内へ誘導される。
【００３９】
以上のように、実施の形態３では、第２連結部１４２は、内部より縁部１４２ａの開口径が大きいものである。これにより、第１ファン１０が回転し、第２ファン２０が停止している場合でも、第１連結部１４１と第２連結部１４２の縁部１４２ａとの干渉を抑制し、第２連結部１４２の入口を広くすることができる。したがって、第１ファン１０と第２ファン２０との連結時に、第１連結部１４１を第２連結部１４２へ入り易くすることができる。
【００４０】
実施の形態４．
図７は、本発明の実施の形態４に係る第２ボス部周辺の構成を示す正面図である。図８は、図７のＢ−Ｂ断面を示す断面図である。図７及び図８を用いて実施の形態４のファン連結部４０の構成を説明する。実施の形態４において、第２連結部２４２が長穴である点が、実施の形態２の場合とは異なる。以下、実施の形態２の場合と同一の構成については同一符号を付して説明を省略する。
【００４１】
第２連結部２４２は、回転方向（矢印Ｒ方向）に延びる形状を有している。第２連結部２４２は、第２ボス部２１の第１ボス部１１と対向する面に設けられ、回転軸Ａを中心とする円弧状に形成されている。第１ファン１０には、３つの第１連結部１４１が設けられており、第２ファン２０には、各第１連結部１４１が挿入される３つの第２連結部２４２が設けられている。
【００４２】
各第２連結部２４２は、回転方向（矢印Ｒ方向）の上流側に傾斜部２４２ａ有している。傾斜部２４２ａは、回転方向の下流側へ進むにつれ長穴の深さが次第に深くなるように形成されている。傾斜部２４２ａの傾斜角は、第１連結部１４１に形成されたテーパ部１４１ａの傾斜角と同じであるとよい。
【００４３】
モータ３０が駆動し、第１ファン１０の回転数が連結回転数Ｆａ以上になると、第１連結部１４１のテーパ部１４１ａと第２連結部２４２の傾斜部２４２ａとにより、第１連結部１４１が第２連結部２４２内へと誘導される。具体的には、第１ファン１０は回転するとともに第２ファン２０側へ付勢されているので、第１連結部１４１が、軌道上の第２連結部２４２に到達すると、まず、テーパ部１４１ａが傾斜部２４２ａにより誘導され第２連結部１４２内へ挿入される。そして第１連結部１４１は、第１ファン１０の回転に伴って回転方向（矢印Ｒ方向）へ移動し、第２連結部２４２の下流側の内側面２４２ｂに当たり、回転方向へ押す。これにより、第１ファン１０の回転の動力が第２ファン２０へ伝達される。また、第１ファン１０の回転数が連結回転数Ｆａよりも小さくなり、第１ファン１０と第２ファン２０との連結が解除される際、傾斜部２４２ａとテーパ部１４１ａとにより、第１連結部１４１が第２連結部２４２の外へ導かれる。
【００４４】
以上のように、実施の形態４では、第２連結部２４２は、回転方向（矢印Ｒ方向）に延びる形状を有する。第２連結部２４２は、これにより、第１連結部１４１の軌道上に第２連結部２４２を長く配置することができるので、第１ファン１０の回転にともなって移動する第１連結部１４１を、停止した第２連結部１４２へ入り易くすることができる。
【００４５】
また第２連結部２４２は、回転方向（矢印Ｒ方向）の上流から下流へ向かって深さが深くなる。これにより、第２連結部２４２において、第１連結部１４１が出入りする位置に、ガイドとして機能する傾斜部２４２ａを設けることができる。したがって、簡単な構造で、連結時及び連結解除時における第１連結部１４１と第２連結部との干渉を抑制することができる。その結果、第１ファン１０及び第２ファン２０の回転を安定させつつ、ファント１台の運転とファン２台を切り替えることができる。
【００４６】
実施の形態５．
図９は、本発明の実施の形態５に係る送風機の熱交換器に取り付けられた状態を示す斜視図である。実施の形態５において、第１ファン３１０と第２ファン３２０とは、ファン径が異なっている。以下、実施の形態５において、実施の形態１の場合と同一の構成については同一符号を付して説明を省略する。
【００４７】
実施の形態５において、第１ファン３１０は実施の形態１の場合よりも小さく、第２ファン３２０は実施の形態１の場合よりも大きい。つまり送風機２００ｂは、第１ファン３１０が、第２ファン３２０よりも小さく構成されている。ここで、第１ファン３１０の第１羽根部３１２を含めた径Ｓ１及び第２ファン３２０の第２羽根部３２２を含めた径Ｓ２は、送風機２００ｂがファン２台の運転を行うときの最大風量が実施の形態１の場合と同程度となるように、予め設定されている。
【００４８】
モータ３０が低速で駆動し、第１ファン３１０の回転数が連結回転数Ｆａよりも小さいとき、第１ファン３１０と第２ファン３２０とは離間した状態である。このとき、第２ファン３２０は停止しており、送風機２００ｂは、小風量で熱交換器２に外気を供給する。上述したように、第１ファン３１０の径Ｓ１は実施の形態１の場合に比べて小さいので、モータ３０の回転数が下限値に設定されているとき、送風機２００ｂの風量は、実施の形態１の送風機２００ａの風量よりも小さくなる。
【００４９】
一方、モータ３０が高速で駆動し、第１ファン３１０の回転数が連結回転数Ｆａ以上になると、ファン連結部４０を介して第１ファン３１０と第２ファン３２０とが連結され、一体となって回転する。このとき、送風機２００ｂは、大風量で熱交換器２に外気を供給する。上述したように、第２ファン３２０の径Ｓ２は実施の形態１の場合に比べて大きいので、モータ３０の回転数が上限値で駆動しているとき、送風機２００ｂはファン２台の運転により、実施の形態１の場合と同様の最大風量を出力することができる。
【００５０】
図１０は、本発明の実施の形態５に係る第２ボス部周辺の構成の一例を示す正面図である。第１ファン３１０が第２ファン３２０よりも小さい構成では、実施の形態１のように第１ファン１０と第２ファン２０とが同一径である構成に比べ、連結時にファン連結部４０にかかる負荷が大きくなる。そのため、ファン連結部４０は、実施の形態１の場合よりも大きく形成し、ファン連結部４０にかかる負荷を分散するように構成するとよい。
【００５１】
例えば、図１０に示されるように、第２連結部は、第２ボス部３２１に回転方向（矢印Ｒ方向）に沿って交互に設けられた第２凹部３４２ｄと第２凸部３４２ｃとを有する。第２連結部は、第２ボス部３２１の第１ボス部３１１と対向する面に設けられている。図示していないが、第１連結部は、第１ボス部３１１に回転方向（矢印Ｒ方向）に沿って交互に設けられた第１凹部と第１凸部とを有する。第１連結部は、第１ボス部３１１の第２ボス部３２１と対向する面に設けられている。第１連結部と第２連結部とは、第１ファン１０が第２ファン２０側へ摺動したときに、第１凸部と第２凹部とが噛み合い、第１凹部と第２凸部とが噛み合うことにより連結する。このように、モータ３０の回転方向（矢印Ｒ方向）に第１連結部と第２連結部とが噛み合う構成により、第１連結部と第２連結部との接触面積を確保し、ファン連結部にかかる負荷を分散させることができ、送風機２００ｂの耐久性を向上させることができる。
【００５２】
以上のように、実施の形態５において、第１ファン３１０の径Ｓ１は、第２ファン３２０の径Ｓ２よりも小さい。これにより、モータシャフト３２が低速で回転するときには、第２ファン３２０よりも径が小さい第１ファン３１０は回転し、第２ファン３２０は停止するので、風量を、実施の形態１の場合よりも小さくすることができる。このように、ファン１台の運転とファン２台の運転との切り替えを制御することができ、且つ風量可変の幅が広い送風機２００ｂを提供することができる。
【００５３】
一般に、送風機のモータには最低回転数の制約がある。このため、ファンの回転数も予め設定された回転数以下で稼働できず、必要とされる風量に対して出力が大きくなる場合がある。例えば冷房運転で室外機の熱交換器が凝縮機として機能する場合、外気温度が低いとき等には、送風機の風量が過多状態となると凝縮圧力が低下し、熱交換器の熱交換効率が低下する。また、凝縮圧力が低下した場合、室内機側の電子膨張弁入口の過冷却液が不足するため、室内機から冷媒音が生じる。特に、外気温度が低下する夜間に冷媒音が発生すると、居住者等に不快感を与える場合がある。一方、送風機２００ｂは、出力する風量の幅を広くすることができるので、風量が過多状態になるのを抑制することができる。
【００５４】
なお、本発明の実施の形態は上記実施の形態に限定されず、種々の変更を行うことができる。例えば、実施の形態１では、室外機１００に送風機２００ａが上下に２台配置されているが、熱交換器２が小さい場合には送風機２００ａは１台であってもよい。
【００５５】
また、送風機２００ａが室外機１００に設けられる場合について説明したが、風量の調整が必要とされる装置であれば、どのような装置に使用されてもよい。例えば、送風機２００ａは、扇風機に使用されてもよい。この場合、従来よりも下限の風量を小さくでき、利用者の快適性を向上させることができる。
【００５６】
また、弾性体３５として圧縮スプリングを用いる場合について例示したが、弾性体３５として引張りスプリングを用い、第１ファン１０をナット３３側から引っ張る構成としてもよい。
【００５７】
さらに、図３では、第１連結部４１は、第１ファン１０と同一の部材として図示したが、第１連結部４１を、第１ファン１０とは異種材料で構成してもよい。例えば第１ファン１０が樹脂製である場合には、第１連結部４１として金属製のピンを、アウトサート成形により第１ファン１０に設置してもよい。同様に、第２連結部４２を、インサート成形又はアウトサート成形により第２ファン２０に設置してもよい。第１連結部４１及び第２連結部４２を、樹脂ではなく金属同士で構成することで、高い耐久性を得ることができる。
【００５８】
また、実施の形態５では、実施の形態１の構成に基づき、第１ファン１０と第２ファン２０とを同一径とした場合について説明したが、実施の形態２、３、４の第１ファン１０と第２ファン２０とを同一径にしてもよい。
【００５９】
また、送風機２００ａがファンを２台備える場合について説明したが、３つ以上で構成されてもよい。
【符号の説明】
【００６０】
１  圧縮機、２  熱交換器、３  制御装置、４  取付部材、１０、３１０  第１ファン、１１、３１１  第１ボス部、１１ａ  第１軸孔、１２、３１２  第１羽根部、２０、３２０  第２ファン、２１、３２１  第２ボス部、２１ａ  第２軸孔、２２、３２２  第２羽根部、３０  モータ、３１  モータ本体、３２  モータシャフト、３２ａ  摺動領域、３３  ナット、３４  移動規制部、３５  摺動領域弾性体、３６  軸受、４０  ファン連結部、４１、１４１  第１連結部、４２、１４２、２４２、３４２  第２連結部、１００  室外機、１４１ａ  テーパ部、１４２ａ  縁部、２００ａ、２００ｂ  送風機、２４２ａ  傾斜部、２４２ｂ  内側面、３４２ｃ  突領域、３４２ｄ  凹領域、Ａ  回転軸、Ｆ１  弾性力、Ｆ２  負圧、Ｆａ  連結回転数、Ｓ１、Ｓ２  ファン径。
【図１】
2019159282.tif 000003
【図２】
2019159282.tif 000004
【図３】
2019159282.tif 000005
【図４】
2019159282.tif 000006
【図５】
2019159282.tif 000007
【図６】
2019159282.tif 000008
【図７】
2019159282.tif 000009
【図８】
2019159282.tif 000010
【図９】
2019159282.tif 000011
【図１０】
2019159282.tif 000012
【国際調査報告】
2019159282.tif 000013
2019159282.tif 000014
2019159282.tif 000015
2019159282.tif 000016